(57)【特許請求の範囲】
【請求項１】
演奏者によって押離鍵操作される複数の鍵と、
前記複数の鍵を上下方向に揺動可能に支持するフレームと、
前記複数の鍵の押離鍵状態を検出するための複数のスイッチが配置された基板と、
前記フレームに一体的に設けられ、前記基板の前部を保持する第１の保持部と、
前記フレームに一体的に設けられ、前記基板の後部を保持する第２の保持部とを備えた鍵盤装置において、
前記第１及び第２の保持部のうちの少なくとも一方の保持部は、前記複数の鍵の並び方向に延設された変形部であって、一端を上下方向に沿って固定された固定端とし、他端を自由端として前後方向に変形可能な変形部を有し、
前記変形部は、前記基板側へ突出した突起を有し、
前記突起は、前記鍵の左右の側壁の間に位置し、
少なくとも押鍵時に、前記突起の上端が前記鍵の側壁の下端より上方に位置するようにしたことを特徴とする鍵盤装置。
【請求項２】
前記フレームに段差を設け、前記段差の立ち上がり部の前後にて前記複数の鍵の並び方向に貫通孔を延設するとともに、前記貫通孔の間の前記段差の立ち上がり部の一部を切り取って、前記貫通孔の一部を連結することにより、前記段差の立ち上がり部に前記変形部を形成したことを特徴とする請求項１に記載の鍵盤装置。
【請求項３】
請求項２に記載の鍵盤装置において、さらに、
前記フレームに支持され、前記鍵の押離鍵操作に伴って揺動する揺動部材と、
前記段差の前段部又は後段部に設けられた、前記揺動部材の揺動を規制するためのストッパと、
前記段差の立ち上がり部から前記基板側へ突出した、前記基板を載置するためのベース部とを備えたことを特徴とする鍵盤装置。
【発明の詳細な説明】
【技術分野】
【０００１】
本発明は、電子オルガン、電子ピアノなどの電子鍵盤楽器に用いられる鍵盤装置に関する。
【背景技術】
【０００２】
従来から、例えば下記特許文献１に示されているように、板ばねのばね力を利用して、鍵の押離鍵状態を検出するためのスイッチが配置された基板（以下、単に基板という。）を保持するようにした鍵盤装置は知られている。この鍵盤装置においては、基板の前端をフックに当接させ、板ばねのばね力によって基板をフックに押し付けて保持している。板ばねは、下方向に延設されている。また、板ばねは、横方向に延設された固定端を有し、基板取り付け時には、板ばねが後方へ変形する。なお、フック及び板ばねはフレームに一体的に形成されている。
【先行技術文献】
【特許文献】
【０００３】
【特許文献１】実開平０１−５１９９７号公報
【発明の概要】
【０００４】
上記従来の鍵盤装置においては、板ばねが下方に大きく張り出しているため、鍵盤装置の高さが大きくなっていた。特に、アコースティックピアノの鍵タッチ（押離鍵時の鍵の反力）を模擬するために、鍵の揺動に伴って揺動する揺動部材（例えばハンマー）を備えた鍵盤装置にあっては、揺動部材と板ばねの干渉防止のため、大きな高さを必要としていた。そこで、鍵盤装置の高さを抑制するために、板ばねの長さを短くすることが考えられるが、このように構成すると、板ばねが固くなり、基板のフレームへの組み付け時に大きな力を必要とするため、基板のフレームへの組み付け性が低下するという問題があった。
【０００５】
本発明は上記問題に対処するためになされたもので、その目的は、高さを抑制するとともに、基板のフレームへの組み付け性が良好な鍵盤装置を提供することにある。
【０００６】
上記目的を達成するために、本発明の特徴は、演奏者によって押離鍵操作される複数の鍵（１１）と、複数の鍵を上下方向に揺動可能に支持するフレーム（１２，３５）と、複数の鍵の押離鍵状態を検出するための複数のスイッチ（２７）が配置された基板（２６，３８）と、フレームに一体的に設けられ、基板の前部を保持する第１の保持部（２８，３７）と、フレームに一体的に設けられ、基板の後部を保持する第２の保持部（２９，３６）とを備えた鍵盤装置において、第１及び第２の保持部のうちの少なくとも一方の保持部は、複数の鍵の並び方向に延設された変形部（２９ｂ）であって、一端を上下方向に沿って固定された固定端とし、他端を自由端として前後方向に変形可能な変形部を有し、変形部は、基板側に突出した突起（２９ｃ）を有し、突起は、鍵の左右の側壁の間に位置し、少なくとも押鍵時に、突起の上端が鍵の側壁の下端より上方に位置するようにしたことにある。この場合、フレームに段差を設け、段差の立ち上がり部の前後にて複数の鍵の並び方向に貫通孔（３１，３２）を延設するとともに、前記貫通孔の間の段差の立ち上がり部の一部を切り取って、前記貫通孔の一部を連結することにより、段差の立ち上がり部に変形部を形成するとよい。これによれば、変形部を横方向（鍵の並び方向）に延設したので、鍵盤装置の高さを抑制することができる。また、変形部はその一端を固定端としたので、変形部の両端を固定端として、その中央部を前後に変形させる場合に比べて、小さな力で変形部を変形させることができる。
【０００７】
また、前記少なくとも一方の保持部の突起が、少なくとも押鍵時に鍵の内側に入り込むので、離鍵時における、鍵と前記少なくとも一方の保持部との上下方向の間隔をさらに小さくすることができる。したがって、鍵盤装置の高さをさらに抑制することができる。
【０００８】
また、本発明の他の特徴は、さらに、フレームに支持され、鍵の押離鍵操作に伴って揺動する揺動部材（１７）と、段差の前段部（１２ａ）又は後段部（３５ｂ）に設けられた、揺動部材の揺動を規制するためのストッパ（２２）と、段差の立ち上がり部から基板側へ突出した、基板を載置するためのベース部（２９ａ）とを備えたことにある。これによれば、アコースティックピアノの鍵タッチを模擬するための揺動部材（例えばハンマー）を有する鍵盤装置であっても、前記少なくとも一方の保持部の高さが小さいので、揺動部材と前記少なくとも一方の保持部との干渉を避けるための大きな高さを必要としない。したがって、揺動部材を有する鍵盤装置であっても、高さを抑えた鍵盤装置を実現できる。また、揺動部材に当接して、揺動部材の揺動を規制するためのストッパを前記段差の前段部又は後段部に設けた場合でも、前記段差の立ち上がり部は、前記段差の前段部及び後段部に比べて上下方向に変形し難いので、揺動部材がストッパに当接して生じる衝撃によるベース部の上下方向の振動を小さくすることができる。すなわち、前記衝撃は、ストッパだけでなく、前記段差の前段部又は後段部によっても伝達されるが、ベース部の振動は小さく、ベース部に載置された基板の上下方向の振動が抑制されるので、スイッチの検出精度を良好に保つことができる。
【０００９】
なお、前記括弧内の符号は、本発明の理解を容易にするために、後述する実施形態との対応関係を示すものであるが、本発明はこれに限定されるものではない。
【図面の簡単な説明】
【００１０】
【図１】本発明の一実施形態に係る鍵盤装置の右側面図である。
【図２】図１の鍵盤装置のフレームの平面図である。
【図３】図２の固定保持部及び可動保持部の拡大図である。
【図４Ａ】図３のＡ−Ａ線に沿って見た断面図である。
【図４Ｂ】図３のＢ−Ｂ線に沿って見た断面図である。
【図４Ｃ】図３のＣ−Ｃ線に沿って見た断面図である。
【図４Ｄ】図３のＤ−Ｄ線に沿って見た断面図である。
【図５】図１の鍵盤装置の基板の組み付け手順を示す図である。
【図６】本発明の変形例に係る鍵盤装置の右側面図である。
【図７】本発明の他の変形例に係る鍵盤装置の右側面図である。
【発明を実施するための形態】
【００１１】
以下、本発明の一実施形態について図面を用いて説明する。図１は、本実施形態に係る鍵盤装置を高音部側（演奏者から見て右側）から見た図である。鍵１１は合成樹脂によって長尺状に一体成型されている。鍵１１は、前後に延設された薄肉の上壁及び上壁の左右端からそれぞれ下方へ延設された薄肉の側壁を有し、下方に開放した中空状に形成されている。そして、鍵１１は、下方に設けられたフレーム１２の鍵支持部１３により支持されており、後端部の回転中心１４を中心として、前端部が上下方向に揺動可能となっている。
【００１２】
フレーム１２は、樹脂の一体成型により横方向（鍵の並び方向）に延設されている。フレーム１２は、図１及び図２に示すように、それぞれ横方向に延設された前板１２ａ及び後板１２ｂを有する。後板１２ｂは前板１２ａよりも高い位置にあり、前板１２ａの後端と後板１２ｂの前端は横方向に延設された垂直板１２ｃによって接続されている。すなわち、フレーム１２の上部には、前板１２ａ及び後板１２ｂにより段差が形成されている。
【００１３】
鍵１１の中間部には、フレーム１２の前部に設けられた鍵ガイド１５が下方から侵入しており、鍵１１の前端部は、押鍵時に鍵ガイド１５に案内されて上下方向に揺動する。鍵１１の前部から下方に向かって駆動部１６が延設されている。駆動部１６は、上下に延設された薄肉の前壁及び前壁の左右端からそれぞれ後方へ延設された薄肉の側壁を有し、後方に開放した中空状に形成されている。駆動部１６の下端は下端壁により閉じている。
【００１４】
鍵１１の下方には、鍵１１に慣性力を付与してアコースティックピアノの鍵タッチ感を模擬するため、鍵１１の押離鍵操作に伴って揺動する揺動部材としての揺動レバー１７が設けられている。揺動レバー１７は、合成樹脂製のレバー基部１７ａ及び金属製の質量体１７ｂからなる。レバー基部１７ａは、板状の部材であって、その下部に設けたフック部１７ａ１にて、フレーム１２の下部に設けたレバー支持部１８に、ピン１８ａの軸線周りに回動可能に支持されている。また、レバー基部１７ａは、前端部に上下一対の脚部１７ａ２，１７ａ３を備え、上方に位置する脚部１７ａ２は下方に位置する脚部１７ａ３より短く形成されている。脚部１７ａ２，１７ａ３の間には、鍵１１の駆動部１６の下端壁が侵入している。駆動部１６の下端壁には、ゴム、ウレタン、フエルトなどの衝撃吸収材１９が嵌め込まれて固着され、駆動部１６の下端壁と脚部１７ａ３の上面との衝突、及び駆動部１６の下端壁と脚部１７ａ２の下面との衝突による衝撃を緩和している。鍵１１の離鍵時には、揺動レバー１７の自重により、揺動レバー１７の前端部が上方へ変位する。このとき、脚部１７ａ３により駆動部１６が上方へ付勢され、鍵１１の前端部は上方へ変位する。一方、鍵１１の押鍵時には、駆動部１６の下端面が脚部１７ａ３の上面を押圧し、揺動レバー１７の前端部は下方へ変位する。
【００１５】
質量体１７ｂは、板状に形成され、レバー基部１７ａの後端に組み付けられている。質量体１７ｂは、全ての鍵１１に対して共通としてもよいし、アコースティックピアノの鍵タッチ感をより忠実に模擬するために、低音側から高音側に向かうに従って、鍵１１ごと又は鍵域ごとに軽くしてもよい。
【００１６】
また、フレーム１２の前端部の下面には、フエルトなどの衝撃吸収材によって構成した長尺状の上限ストッパ２１が、横方向に延設されて固着されている。この上限ストッパ２１は、揺動レバー１７の前端部の上方への変位を規制することにより、離鍵時における鍵１１の前端部の上方への変位を規制する。また、フレーム１２の前板１２ａの下面には、フエルトなどの衝撃吸収材によって構成した長尺状の下限ストッパ２２が、横方向に延設されて固着されている。この下限ストッパ２２は、揺動レバー１７の後部の上方への変位を規制することにより、押鍵時における鍵１１の前端部の下方への変位を規制する。
【００１７】
また、鍵１１の中間部の下面には、スイッチ駆動部２５が設けられている。スイッチ駆動部２５は、基板２６上に配置されたスイッチ２７の上面に当接している。スイッチ２７は、各鍵１１ごとに設けられ、各鍵１１の揺動に伴って押圧されて、押離鍵状態を検出する。なお、スイッチ２７は、各揺動レバー１７の揺動に伴って揺動レバー１７によって押圧されて、各鍵１１の押離鍵状態を検出するようにしてもよい。基板２６は、フレーム１２に設けられた固定保持部２８及び可動保持部２９によって保持されている。固定保持部２８及び可動保持部２９は、樹脂によりフレーム１２に一体的に形成される。固定保持部２８及び可動保持部２９は、それぞれ横方向に間隔をおいて複数箇所に設けられている。ただし、必ずしも等間隔に配置する必要はなく、それぞれの間隔が異なっていてもよい。
【００１８】
固定保持部２８は、図３及び図４Ａに示すように、基板２６の前端部を載置する左右一対のベース部２８ａ，２８ａ、基板２６の前端に当接して基板２６の前方向の位置を規定する壁部２８ｂ及び基板２６の上方向の位置を規定する突起部２８ｃからなる。なお、これらのベース部２８ａ，２８ａ、壁部２８ｂ及び突起部２８ｃにより囲まれる前板１２ａの部分にはほぼ方形状の貫通孔２８ｄが設けられている。
【００１９】
ベース部２８ａ，２８ａは、それぞれ左右方向よりも前後方向を長くして平面視方形状に形成され、前板１２ａの前部上面から上方に突出しており、それらの上面２８ａ１，２８ａ１が前板１２ａの上面に平行な平面状に形成されている。壁部２８ｂは、平面視方形状に形成されるとともに左右方向中央部に前方に突出する凸部を有するように形成され、ベース部２８ａ，２８ａの左右方向の中間位置にて、前板１２ａの上面から上方へほぼ垂直に突出している。より詳細には、壁部２８ｂは、前板１２ａの上面に対して、上方に向かうに従って僅かに後方へ傾いて立設している。この壁部２８ｂの上端は、ベース部２８ａ，２８ａの上面より十分高く位置している。壁部２８ｂの左右両端は、左右一対の連結部２８ｅ，２８ｅにより、ベース部２８ａ，２８ａに一体的に連結されている。連結部２８ｅ，２８ｅは、ベース部２８ａ，２８ａの前側部分を左右方向に延設したものである。そして、連結部２８ｅ，２８ｅの上面は、ベース部２８ａ，２８ａの上面２８ａ１，２８ａ１と同一平面を形成している。
【００２０】
また、壁部２８ｂの上端部から後方へ向かって突起部２８ｃが突出している。突起部２８ｃの下面２８ｃ１はベース部２８ａ，２８ａの上面２８ａ１，２８ａ１と平行、すなわち前板１２ａの上面と平行となっている。また、基板２６の組み付け時に基板２６を固定保持部２８内へ侵入させ易くするため、突起部２８ｃの後側の下端が大きく面取りされている。
【００２１】
また、図２に示すように、前板１２ａの上面側の前部には、基板２６の横方向の位置を規定する垂直壁２８ｆが設けられている。垂直壁２８ｆは、前後方向に延設された、横方向に薄肉の壁体である。基板２６には、基板前端から基板の内側に向かって切り欠きが設けられており、この切り欠きに垂直壁２８ｆが侵入して、基板２６の横方向の位置を規定する。
【００２２】
また、可動保持部２９は、図３、図４Ｂ、図４Ｃ及び図４Ｄに示すように、基板２６の後部を載置するベース部２９ａ、基板２６を固定保持部側へ付勢する変形部２９ｂ及び基板２６の上方向の位置を規定する突起部２９ｃを有する。
【００２３】
前板１２ａの後部には、前板１２ａと後板１２ｂの段差の立ち上がり部に沿った横長の貫通孔３１が設けられている。また、後板１２ｂの前部には、前記段差の立ち上がり部に沿って、前後方向の幅が狭い横長の貫通孔３２（スリット）が設けられている。貫通孔３１，３２の左端の位置は同じであるが、貫通孔３１の右端は、貫通孔３２の右端よりも右方に位置する。ベース部２９ａは、左右方向よりも前後方向を長くした平面視方形状で、前後に段差を有するように形成され、貫通孔３１の右端に沿って垂直板１２ｃの前面から前方へ突出している。ベース部２９ａの前段の上面２９ａ１は、前板１２ａの上面と平行であり、固定保持部２８のベース部２８ａ，２８ａの上面２８ａ１，２８ａ１と同一平面を形成する。ベース部２９ａの後段の上面２９ａ２は、後板１２ｂの上面と同一平面を形成する。上面２９ａ１の後端と上面２９ａ２の前端を連結する垂直壁２９ａ３は、垂直板１２ｃの前面と平行となっている。
【００２４】
また、貫通孔３１，３２の間の前記段差の立ち上がり部の右端部が切り取られて、貫通孔３１の中間部と貫通孔３２の右端部が連結されており、貫通孔３１，３２によって前記段差の立ち上がり部の前後に亘る１つの貫通孔が形成されている。これにより、貫通孔３１，３２の間の前記段差の立ち上がり部には、変形部２９ｂが形成される。すなわち、左端のみが上下方向に沿って固定された片持ち梁状の変形部２９ｂが形成される。変形部２９ｂは、前述した垂直板１２ｃの一部を構成するもので、横方向（鍵の並び方向）に延設された、前後方向に薄肉の板状になっている。したがって、変形部２９ｂは、前後方向の押圧力が付与されると、左端を固定端とし、右端を自由端として、前後方向に変形する。
【００２５】
変形部２９ｂの右端部には突起部２９ｃが設けられている。突起部２９ｃは、上端から下方に向かうに従って前方への張り出しが大きくなる急傾斜の傾斜面２９ｃ１を有する。傾斜面２９ｃ１の下端の上下方向の位置は、後板１２ｂの上面とほぼ同じ位置である。そして、傾斜面２９ｃ１の下端から後方に向かう平面状の係止面２９ｃ２には、傾斜面２９ｃ１の下端から若干量だけ後方位置を前端として垂直に下方へ向かう円柱状の基板押圧部２９ｃ３が変形部２９ｂと一体連結されて設けられている。基板２６がフレーム１２に組み付けられていない状態において、基板押圧部２９ｃ３の前端は、ベース部２９ａの垂直壁２９ａ３よりも前方に位置する。基板押圧部２９ｃ３の直径は、変形部２９ｂの板厚よりも大きい。基板押圧部２９ｃ３の前面は、変形部２９ｂの前面よりも前方へ大きく突出しており、基板押圧部２９ｃ３の後面は、変形部２９ｂの後面よりも後方へ若干突出している。変形部２９ｂが後方へ変形したときに、基板押圧部２９ｃ３の後面と後板１２ｂが干渉しないようにするため、基板押圧部２９ｃ３の後方に位置する後板１２ｂの前端部には、基板押圧部２９ｃ３の後面に対応した凹部が設けられている。突起部２９ｃは、この突起部２９ｃが設けられた位置の上方に位置する鍵１１の左右の側壁の中間に位置する。また、前記鍵１１の左右側壁の部分であって、突起部２９ｃと前後方向の位置が同一の部分の下端は、突起部２９ｃの上端よりも下方に位置する。すなわち、突起部２９ｃの上部は、前記鍵１１の内側に入り込んでいる。なお、変形部２９ｂは、左端を固定端としたが、右端を固定端としてもよい。すなわち、貫通孔３１，３２の右端の位置を同じにしておき、貫通孔３１の左端を貫通孔３２の左端よりも左方に位置させておく。そして、貫通孔３１，３２の間の立ち上がり部の左端部を切り取って、貫通孔３１の中間部と貫通孔３２の左端部を連結することにより、変形部を形成するようにしてもよい。この場合、変形部の左端部に突起部２９ｃを設ければよい。
【００２６】
次に、基板２６のフレーム１２への組み付ける手順を説明する。まず、図５に示すように、固定保持部２８の突起部２８ｃの面取り部に、基板２６の前端部の上面を沿わせるようにして、基板２６を固定保持部２８に斜めに侵入させる。このとき、基板２６の前端に設けた切り欠きに垂直壁２８ｆが侵入するように基板２６の横方向の位置を調整する。次に、基板２６を倒すようにして、基板２６の後端を可動保持部２９の突起部２９ｃに近づける。すると、基板２６の後端が傾斜面２９ｃ１に当接する。さらに基板２６を倒すと、傾斜面２９ｃ１は前方に張り出しているから、基板２６の後端が変形部２９ｂを後方へ押圧して変形させる。基板２６の後端が傾斜面２９ｃ１を乗り越えると、変形部２９ｂは、元の位置に復帰しようとするため、基板押圧部２９ｃ３の前端が基板２６の後端に当接して、基板２６を前方へ押し返す。すなわち、可動保持部２９は、基板２６を固定保持部２８側へ付勢する。このとき、基板押圧部２９ｃ３は円柱状に形成されているので、基板２６の後端にひっかかることなく滑らかに基板２６を押し返すことができる。この状態では、基板２６の前部下面は、固定保持部２８のベース部２８ａ，２８ａの上面２８ａ１，２８ａ１に当接している。そして、基板２６は、固定保持部２８のベース部２８ａ，２８ａの上面２８ａ１，２８ａ１及び可動保持部２９のベース部２９ａの上面２９ａ１上を前方へ変位して、基板２６の前端面が壁部２８ｂの後面に当接した時点で停止する。
【００２７】
基板２６が組み付けられていない状態において、固定保持部２８の壁部２８ｂと可動保持部２９の基板押圧部２９ｃ３の前端の間隔は、基板２６の前後方向の幅よりも若干小さく設定される。したがって、基板２６を取り付けた状態では、変形部２９ｂは僅かに後方へ変形しており、基板２６を壁部２８ｂに押し付けている。これにより、基板２６の前後方向の位置が規定される。すなわち、基板２６は固定保持部２８に当接している。なお、この状態では、基板２６の後端とベース部２９ａの垂直壁２９ａ３の間には若干の隙間がある。また、固定保持部２８のベース部２８ａ，２８ａの上面２８ａ１，２８ａ１と突起部２８ｃの下面２８ｃ１との上下方向の間隔は基板２６の厚さとほぼ同じに設定されているので、基板２６の前端部が上面２８ａ１，２８ａ１と下面２８ｃ１に挟まれることにより、基板２６の前端部の上下方向の位置が規定される。一方、可動保持部２９のベース部２９ａの上面２９ａ１と突起部２９ｃの係止面２９ｃ２との上下方向の間隔も基板の厚さとほぼ同じに設定されているので、基板２６の後端部は、上面２９ａ１と係止面２９ｃ２に挟まれることにより、上下方向の位置も規定される。すなわち、基板２６は固定保持部２８と可動保持部２９によって保持される。
【００２８】
上記実施形態においては、フレーム１２に段差を設け、その段差の立ち上がり部に変形部２９ｂを構成した。すなわち、変形部２９ｂを横方向に延設した。そのため、上記従来の鍵盤装置に比べて可動保持部２９の高さを抑制することができる。また、押鍵に伴って揺動レバー１７が揺動しても、揺動レバー１７は、可動保持部２９と干渉することが無い。さらに、突起部２９ｃを同突起部２９ｃが位置する位置の鍵１１の左右の側壁の中間に配置したので、離鍵時及び押鍵時において、鍵１１の内側に突起部２９ｃが入り込む。そのため、離鍵時における鍵１１と可動保持部２９との間隔をさらに小さくすることができるので、鍵盤装置の高さをさらに抑制することができる。
【００２９】
また、変形部２９ｂは、左端を上下方向に沿って固定された固定端とし、右端を自由端として前後方向に変形するようにした。そのため、変形部の両端を固定して、その中央部を前後に変形させる場合に比べて、小さな力で変形部２９ｂを変形させることができる。したがって、基板２６のフレーム１２への組み付け性を良好にできる。
【００３０】
また、押鍵時に揺動レバー１７が下限ストッパ２２に当接して生じる衝撃は下限ストッパ２２により吸収される。しかし、前記衝撃は下限ストッパ２２によって完全には吸収されず、その衝撃によって前板１２ａが上下に振動することがある。しかし、垂直板１２ｃは、前板１２ａに比べて上下方向に変形し難いので、ベース部２９ａの上下方向の振動は小さい。すなわち、前記衝撃は下限ストッパ２２及び前板１２ａによって吸収され、ベース部２９ａに載置された基板２６の上下方向の振動が抑制されるので、スイッチ２７の検出精度を良好に保つことができる。
【００３１】
さらに、本発明の実施にあたっては、上記実施形態に限定されるものではなく、本発明の目的を逸脱しない限りにおいて種々の変更が可能である。
【００３２】
上記実施形態においては、フレーム１２の前板１２ａが後板１２ｂよりも低くなるように段差を設けた。しかし、フレーム１２に代えて、図６に示すように、前板が後板よりも高くなるようにしたフレーム３５としてもよい。すなわち、フレーム３５は、それぞれ横方向に延設された前板３５ａ及び後板３５ｂを有する。前板３５ａは後板３５ｂよりも高い位置にあり、前板３５ａの後端と後板３５ｂの前端は横方向に延設された垂直板３５ｃによって接続されている。そして、後板３５ｂの後部に、固定保持部２８と同様の形状で、固定保持部２８とは前後の向きを逆（すなわち前向き）にした固定保持部３６を設ける。一方、前板３５ａと後板３５ｂにより形成される段差部に、可動保持部２９と同様の形状で、前後の向きを逆（すなわち後向き）にした可動保持部３７を設ける。ここで、鍵１１は揺動角度が同一であれば、鍵１１の前端に近いほど上下方向の変位量が大きい。したがって、押鍵時に鍵１１と前板３５ａが干渉するのを避けるため、上記実施形態よりも、離鍵時における鍵１１と前板３５ａの間隔を大きくしておく必要がある。そのため、本変形例においては、鍵１１の側壁の一部であって、前板３５ａの上方に位置する部分の高さ方向の幅を上記実施形態よりも小さくしている。その他の構成は上記実施形態と同様である。基板２６をフレーム３５に取り付けるためには、基板２６を斜めにして、後端部を固定保持部３６内に侵入させておき、前端側を倒して可動保持部３７内に侵入させるようにすればよい。このように構成しても、上記実施形態と同様の効果が得られる。
【００３３】
また、上記実施形態及びその変形例においては、基板２６の前端又は後端のいずれか一方を可動保持部２９，３７により保持するようにした。しかし、基板２６の前端及び後端の両方が可動保持部によって保持されるようにしてもよい。この場合、フレーム１２の段差とフレーム３５の段差の両方を有するフレームとすればよい。すなわち、フレームの縦断断面の形状は、基板２６を保持する部分が凹状となっている。そして、段差部に可動保持部２９，３７と同様の可動支持部を設ければよい。このように構成した場合、基板２６を取り付けるにあたっては、基板２６の前端部及び後端部を可動保持部の突起上に載置した後、基板２６全体を下方に押圧して、基板２６の前端部及び後端部を可動保持部内に侵入させればよい。このように構成しても、上記実施形態と同様の効果が得られる。
【００３４】
また、図７に示すように、基板２６よりも前後方向の幅が大きい基板３８を保持するようにしてもよい。この場合、基板３８の前部の固定保持部２８に対応した位置に、上面から下面に貫通した方形状の貫通孔３８ａを設けておいて、貫通孔３８ａに固定保持部２８の突起部２８ｃを通して、貫通孔３８ａの周縁部をベース部２８ａ、壁部２８ｂ及び突起部２８ｃにより保持するようにすればよい。基板３８の後端部は、上記実施形態と同様に保持する。この場合、基板３８の組み付ける際、固定保持部２８に基板３８を侵入させ易くするため、ベース部２８ａ，２８ａの上面２８ａ１，２８ａ１の中間部から前方の部分を、前方に向かうに従って低くなるように傾斜させるとともに、連結部２８ｅ，２８ｅの上面もベース部２８ａの傾斜面と同一平面を形成するように傾斜させるとよい。また、図７に示す変形例と同様に、図６に示す変形例においても、基板２６よりも前後方向の幅が大きい基板を保持するようにしてもよい。すなわち、基板の後部の固定保持部３７に対応した位置に、貫通孔を設けておいて、この貫通孔の周縁部を固定保持部３７により保持するようにすればよい。
【００３５】
また、上記実施形態及びその変形例においては、鍵１１を、下方に開放した中空状にし、突起部２９ｃが鍵１１の内側に入り込むようにした。しかし、鍵１１を下方に開放した中空状にできない場合（例えば木製鍵）は、鍵１１と突起部２９ｃが干渉するのを避けるために、鍵１１の下面に凹部を設ければよい。そして、少なくとも押鍵時に突起部２９ｃが凹部内に侵入するようにすればよい。このように構成すれば、鍵盤装置の高さを抑制することができる。鍵１１の下部に凹部を設けることもできない場合は、離鍵時において、突起部２９ｃの上端と鍵１１の下面との間に、鍵１１と突起部２９ｃが干渉するのを避けるために十分な間隔を設けておく必要がある。この場合、突起部２９ｃは鍵１１の左右の側壁の中間にある必要はない。このように構成すると、上記実施形態に比べて、鍵盤装置の高さは若干大きくなるが、上記従来の鍵盤装置に比べれば、高さを抑制することができる。
【００３６】
また、上記実施形態及びその変形例においては、アコースティックピアノの鍵タッチ感を模擬するために、揺動レバー１７を有するようにした。しかし、アコースティックピアノの鍵タッチ感を模擬する必要のない電子楽器用の鍵盤装置であっても上記実施形態及びその変形例と同様に構成できる。すなわち、上記実施形態及びその変形例において、揺動レバー１７を削除し、鍵１１の前端を上方へ付勢する付勢手段（例えばバネ）をさらに設ければよい。このように構成しても、鍵盤装置の高さを抑制することができる。
【符号の説明】
【００３７】
１１・・・鍵、１２，３５・・・フレーム、１２ａ・・・前板、１７・・・揺動レバー、２２・・・ストッパ、２６，３８・・・基板、２８，３６・・・固定保持部、２９，３７・・・可動保持部、２９ａ・・・ベース部、２９ｂ・・・変形部、２９ｃ・・・突起部、３１，３２・・・貫通孔、３５ｂ・・・後板
【図１】
0005413052.tif 000002
【図２】
0005413052.tif 000003
【図３】
0005413052.tif 000004
【図４Ａ】
0005413052.tif 000005
【図４Ｂ】
0005413052.tif 000006
【図４Ｃ】
0005413052.tif 000007
【図４Ｄ】
0005413052.tif 000008
【図５】
0005413052.tif 000009
【図６】
0005413052.tif 000010
【図７】
0005413052.tif 000011